(57)【要約】【課題】デジタル放送受信機が放送コンテンツを第１放送コンテンツから第２放送コンテンツに切り替えるときに、放送局の意図に反して表示する問題を軽減すること。【解決手段】受信部（１０）は、放送コンテンツとＡＩＴとを含む放送波（４１）を受信して、放送コンテンツとして第１放送コンテンツを受信機用出力部（２０）に提示する。受信機用制御部（３２）は、ＡＩＴに基づいて、第１放送コンテンツに依存する放送マネージドアプリケーション（４３）を通信ネットワークにより取得して、第１放送コンテンツと共に放送マネージドアプリケーション（４３）を受信機用出力部（２０）に提示する。受信機用制御部（３２）は、放送コンテンツを第１放送コンテンツから第２放送コンテンツに切り替えるときに、ＡＩＴで放送リソースへのアクセスが許可されている場合、放送マネージドアプリケーション（４３）の提示を停止する。【選択図】図１
2015109501.tif 000002
【特許請求の範囲】
【請求項１】
受信機用出力部と、
放送コンテンツと放送マネージドアプリケーションを管理するアプリケーション制御情報とを含む放送波を受信して、前記放送コンテンツとして第１放送コンテンツを前記受信機用出力部に提示する受信部と、
前記アプリケーション制御情報に基づいて、前記第１放送コンテンツに依存する前記放送マネージドアプリケーションを通信ネットワークにより取得して、前記第１放送コンテンツと共に前記放送マネージドアプリケーションを前記受信機用出力部に提示する受信機用制御部と、
を具備し、
前記アプリケーション制御情報は、放送リソースへのアクセスを許可するか否かを表す情報を含み、
前記受信機用制御部は、前記放送コンテンツを前記第１放送コンテンツから第２放送コンテンツに切り替えるときに、前記アプリケーション制御情報で前記放送リソースへのアクセスが許可されている場合、前記放送マネージドアプリケーションの提示を停止することを特徴とするデジタル放送受信機。
【請求項２】
前記受信機用制御部は、前記放送コンテンツを前記第１放送コンテンツから前記第２放送コンテンツに切り替えるときに、前記アプリケーション制御情報で前記放送リソースへのアクセスが許可されていない場合、前記放送マネージドアプリケーションの提示を継続し、前記放送コンテンツを前記第２放送コンテンツに切り替えた後に、前記アプリケーション制御情報が更新されて、又は、前記アプリケーション制御情報においてドメインが異なるページに遷移して、前記放送リソースへのアクセスが許可された場合、前記放送マネージドアプリケーションの提示を停止することを特徴とする請求項１に記載のデジタル放送受信機。
【請求項３】
前記受信機用制御部は、前記放送マネージドアプリケーションの提示を停止した後に、前記アプリケーション制御情報が更新されて前記放送リソースへのアクセスが許可されていない場合、かつ、前記アプリケーション制御情報においてドメインが異なるページに遷移して前記放送リソースへのアクセスが許可されていない場合、前記放送マネージドアプリケーションの提示を行なうことを特徴とする請求項２に記載のデジタル放送受信機。
【請求項４】
前記第１放送コンテンツは、複数セグメント放送で受信された放送コンテンツであり、前記第２放送コンテンツは、ワンセグメント放送で受信された放送コンテンツであることを特徴とする請求項１から３のいずれかに記載のデジタル放送受信機。
【請求項５】
放送コンテンツと放送マネージドアプリケーションを管理するアプリケーション制御情報とを含む放送波を受信して、前記放送コンテンツとして第１放送コンテンツを出力部に提示するステップと、
前記アプリケーション制御情報に基づいて、前記第１放送コンテンツに依存する前記放送マネージドアプリケーションを通信ネットワークにより取得して、前記第１放送コンテンツと共に前記放送マネージドアプリケーションを前記出力部に提示するステップと、ここで、前記アプリケーション制御情報は、放送リソースへのアクセスを許可するか否かを表す情報を含み、
前記放送コンテンツを前記第１放送コンテンツから第２放送コンテンツに切り替えるときに、前記アプリケーション制御情報で前記放送リソースへのアクセスが許可されている場合、前記放送マネージドアプリケーションの提示を停止するステップと、
を具備することを特徴とする放送コンテンツ停止方法。
【発明の詳細な説明】
【技術分野】
【０００１】
本発明は、放送通信連携サービスをユーザに提供するデジタル放送受信機、及び、放送コンテンツ停止方法に関する。
【背景技術】
【０００２】
ＩＰ（Internet Protocol）を利用してデジタルテレビ放送を配信する技術（その技術をＩＰＴＶという）が開発されている。そのＩＰＴＶの規定として、放送通信連携システム（ハイブリッドキャスト方式）が策定されている（例えば非特許文献１）。この放送通信連携システムでは、デジタル放送受信機は、放送信号を放送波により受信して、放送信号に含まれる放送コンテンツ（放送番組）を出力すると共に、ネットワーク経由で通信コンテンツを取得して、放送コンテンツと通信コンテンツとを同期再生する。これにより、放送と通信とを連携することが可能である。
【０００３】
具体的には、放送通信連携システムでは、ユーザが放送コンテンツの番組をデジタル放送受信機により視聴しているときに、デジタル放送受信機は、その放送コンテンツが所定のタイミングで、放送信号によりアプリケーションを取得して起動する。通信コンテンツが終了した場合、デジタル放送受信機は、放送信号によりアプリケーションを終了する。これにより、ユーザは、アプリケーションが提供する通信コンテンツを視聴可能である。このように、放送信号により起動及び終了が制御できるアプリケーションを放送マネージドアプリケーションという。
【先行技術文献】
【非特許文献】
【０００４】
【非特許文献１】ＩＰＴＶ規定  放送通信連携システム仕様  ＩＰＴＶＦＪ  ＳＴＤ−００１０  １．０版（２０１３年３月２２日１．０版策定）
【発明の概要】
【発明が解決しようとする課題】
【０００５】
上述のように、デジタル放送受信機では、放送コンテンツとして第１放送コンテンツを提示しているときに、第１放送コンテンツに依存する放送マネージドアプリケーションを、第１放送コンテンツと共に提示することができる。しかしながら、デジタル放送受信機では、放送コンテンツを第１放送コンテンツから第２放送コンテンツに切り替える場合がある。このときに、第２放送コンテンツと、第１放送コンテンツに依存する放送マネージドアプリケーションとが同時に提示されてしまう可能性がある。この場合、放送局の意図に反した表示になってしまう。
【０００６】
本発明は、上記の点に鑑みてなされたものであり、放送コンテンツを第１放送コンテンツから第２放送コンテンツに切り替えるときに、放送局の意図に反して表示する問題を軽減することができるデジタル放送受信機、及び、放送コンテンツ停止方法を提供することを目的とする。
【課題を解決するための手段】
【０００７】
本発明のデジタル放送受信機は、受信機用出力部と、放送コンテンツと放送マネージドアプリケーションを管理するアプリケーション制御情報とを含む放送波を受信して、前記放送コンテンツとして第１放送コンテンツを前記受信機用出力部に提示する受信部と、前記アプリケーション制御情報に基づいて、前記第１放送コンテンツに依存する前記放送マネージドアプリケーションを通信ネットワークにより取得して、前記第１放送コンテンツと共に前記放送マネージドアプリケーションを前記受信機用出力部に提示する受信機用制御部と、を具備し、前記アプリケーション制御情報は、放送リソースへのアクセスを許可するか否かを表す情報を含み、前記受信機用制御部は、前記放送コンテンツを前記第１放送コンテンツから第２放送コンテンツに切り替えるときに、前記アプリケーション制御情報で前記放送リソースへのアクセスが許可されている場合、前記放送マネージドアプリケーションの提示を停止する、ことを特徴とする。
【０００８】
本発明の放送コンテンツ停止方法は、放送コンテンツと放送マネージドアプリケーションを管理するアプリケーション制御情報とを含む放送波を受信して、前記放送コンテンツとして第１放送コンテンツを出力部に提示するステップと、前記アプリケーション制御情報に基づいて、前記第１放送コンテンツに依存する前記放送マネージドアプリケーションを通信ネットワークにより取得して、前記第１放送コンテンツと共に前記放送マネージドアプリケーションを前記出力部に提示するステップと、ここで、前記アプリケーション制御情報は、放送リソースへのアクセスを許可するか否かを表す情報を含み、前記放送コンテンツを前記第１放送コンテンツから第２放送コンテンツに切り替えるときに、前記アプリケーション制御情報で前記放送リソースへのアクセスが許可されている場合、前記放送マネージドアプリケーションの提示を停止するステップと、を具備することを特徴とする。
【０００９】
本発明のコンピュータプログラムは、上記放送コンテンツ停止方法の各ステップをコンピュータに実行させる。
【発明の効果】
【００１０】
本発明によれば、デジタル放送受信機は、放送コンテンツを第１放送コンテンツから第２放送コンテンツに切り替えるときに、放送局の意図に反して表示する問題を軽減することができる。
【図面の簡単な説明】
【００１１】
【図１】本発明が適用される放送通信連携システムの構成を示す概略ブロック図
【図２】一般的なデジタル放送受信機の動作を表す概念図
【図３】図２の問題点を表す概念図
【図４】本発明のデジタル放送受信機５の動作を表す概念図
【図５】本発明のデジタル放送受信機５の動作を表す概念図
【図６】第１実施形態に係るデジタル放送受信機５の動作を示すフローチャート
【図７】第２実施形態に係るデジタル放送受信機５の動作を示すフローチャート
【図８】第２実施形態に係るデジタル放送受信機５の動作を示すフローチャート
【図９】第３実施形態に係るデジタル放送受信機５の動作を示すフローチャート
【図１０】第３実施形態に係るデジタル放送受信機５の動作を示すフローチャート
【図１１】第３実施形態に係るデジタル放送受信機５の動作を示すフローチャート
【発明を実施するための形態】
【００１２】
以下、図面を参照しながら本発明の実施形態について説明する。
【００１３】
図１は、本発明が適用される放送通信連携システムの構成を示す概略ブロック図である。放送通信連携システムは、放送局が放送波４１により放送サービスを提供するための放送局サーバ１と、サービス事業者がインターネット等の通信ネットワークを介して通信サービスを提供するための通信サーバ３と、利用者に利用されるデジタル放送受信機５と、を具備している。
【００１４】
放送局サーバ１は、一般的なデジタル放送用の放送設備（図示しない）を備えたコンピュータである。放送局サーバ１は、コンピュータが実行可能なコンピュータプログラムが格納された記憶装置（図示しない）と、そのコンピュータプログラムを読み出して実行するＣＰＵ（Central Processing Unit）（図示しない）と、を具備している。放送局サーバ１は、放送番組、データ放送、アプリケーション制御情報（Application Information Table：ＡＩＴ）等を多重化した放送信号を生成する。放送局サーバ１は、その放送信号を放送波４１に変調し、放送用アンテナを介して放送波４１を送信する。
【００１５】
放送信号は、ＡＲＩＢ（登録商標）（Association of Radio Industries and Broadcast：社団法人電波産業会）標準規格で規定される。デジタル放送によって提供される映像、音声等の各種データは、国際標準規格MPEG-2 Systemsで規定されるＴＳパケット（トランスポートストリームパケット）に格納されて、時分割で多重伝送される。ＴＳパケットには、セクションに対してＰＳＩ（Program Specific Information）／ＳＩ（Service Information）が規定されている。ＰＳＩ／ＳＩは、ＴＳパケットに格納されているデータの種別を示す情報や、コンテンツの種別を示す情報を含んでいる。データの種別を示す情報は、データ放送用のデータとＡＩＴとを伝送するための伝送情報（Program Map Table：ＰＭＴ）を含んでいる。
【００１６】
データ放送は、放送番組と連携するコンテンツである。データ放送向けの記述言語としては、ＢＭＬ（Broadcast Markup Language）文書が使用され、ＢＭＬはＡＲＩＢ（登録商標）により策定されている。ＰＭＴは、データ放送を伝送するコンポーネントに関わるデータ符号化方式記述子のadditional＿arib＿bxml＿info()において、データ放送の起動を最優先とするか否かを指定するための起動優先制御情報を含んでいる。その起動優先制御情報が最優先を示している場合は、データ放送はデジタル放送受信機５により起動される。
【００１７】
ＡＩＴは、放送マネージドアプリケーション４３を管理するための情報である。放送マネージドアプリケーション４３は、放送番組と連携する他のコンテンツであり、データ放送とは記述言語等のデータ形式が異なる。放送マネージドアプリケーション４３向けの記述言語としては、ＨＴＭＬ（Hyper Text Markup Language）文書が使用される。また、ＡＩＴは、放送マネージドアプリケーション４３を識別するアプリケーションＩＤと、放送マネージドアプリケーション４３の所在を示す所在情報（Uniform Resource Locator：ＵＲＬ）と、を含んでいる。ＰＭＴは、ＡＩＴを伝送するコンポーネントに関わるデータ符号化方式記述子のait＿identifier＿info()において、放送マネージドアプリケーション４３の起動を最優先とするか否かを指定するための起動優先制御情報を含んでいる。その起動優先制御情報が最優先を示している場合は、放送マネージドアプリケーション４３はデジタル放送受信機５により起動される。
【００１８】
通信サーバ３は、放送局サーバ１の設備と通信可能に接続され、放送マネージドアプリケーション４３を配信するコンピュータである。通信サーバ３は、コンピュータが実行可能なコンピュータプログラムが格納された記憶装置（図示しない）と、そのコンピュータプログラムを読み出して実行するＣＰＵ（図示しない）と、を具備している。通信サーバ３は、アプリケーション取得要求に応じて、放送マネージドアプリケーション４３を、通信ネットワークを介して配信する。
【００１９】
デジタル放送受信機５は、受信部１０と、受信機用出力部２０と、通信部３１と、受信機用制御部３２と、これらを制御するＣＰＵ（図示しない）と、を具備している。通信部３１は、通信ネットワークを介して通信サーバ３と通信を行う通信インタフェースである。ＣＰＵは、受信部１０、受信機用出力部２０、通信部３１、受信機用制御部３２に対して制御を行う。記憶部１３にはコンピュータが実行可能なコンピュータプログラムが格納され、ＣＰＵはそのコンピュータプログラムを読み出して実行する。
【００２０】
受信部１０は、チューナ部１１と、放送波受信部１２と、記憶部１３と、受信感度測定部１４とを備えている。
【００２１】
放送波受信部１２は、放送番組が視聴される放送番組視聴指示に応じて、放送局サーバ１から放送されている放送波４１を、チューナ部１１を介して受信する。ここで、チューナ部１１は、複数セグメント放送（以下、フルセグメント放送とする）とワンセグメント放送との一方で、放送波４１を受信する。放送波受信部１２は、放送波４１を復調し、放送波４１から放送信号、すなわち、ＴＳパケットを抽出する。放送波受信部１２は、ＴＳパケットのＰＳＩ／ＳＩを参照して、ＴＳパケットに含まれている放送コンテンツ、すなわち、放送番組（映像データ及び音声データ）を受信機用出力部２０に出力する。また、放送波受信部１２は、予め規定されている伝送方法に応じて、ＴＳパケットからＰＭＴやＡＩＴを抽出して記憶部１３に格納する。
【００２２】
受信感度測定部１４は、放送波４１が受信されたときの電波状態を表す値を計測して、受信機用制御部３２に出力する。電波状態を表す値としては、搬送波対雑音比（Ｃ／Ｎ比）の値などが例示される。Ｃ／Ｎ比の値が、Ｃ／Ｎ比の設定値（以下、閾値と称する）を超えている場合、受信品質が良好である。Ｃ／Ｎ比の値が閾値以下である場合、受信品質が悪化している。
【００２３】
受信機用出力部２０は、音声制御部２１と、表示制御部２２と、スピーカ２３と、表示部２４と、を備えている。音声制御部２１は、放送波受信部１２からの音声データを、表示制御部２２により表示制御される映像データと同期をとりながらスピーカ２３に出力する。表示制御部２２は、放送波受信部１２からの映像データを、音声制御部２１により出力制御される音声データと同期をとりながら表示部２４に表示する。
【００２４】
受信機用制御部３２は、放送マネージドアプリケーション４３を取得して提示するための機能（アプリケーションエンジン）としてアプリケーション実行部３４を備えている。取得された放送マネージドアプリケーション４３は、そのアプリケーション実行部３４上で起動・終了する。アプリケーション実行部３４は、記憶部１３に格納されたＡＩＴに基づいて、アプリケーション取得要求（デジタル放送受信機５を識別する識別子と、上述のＡＩＴのアプリケーションＩＤ、ＵＲＬと、を少なくとも含む）を、通信部３１を介して通信サーバ３に送信し、通信サーバ３から放送マネージドアプリケーション４３を取得する。アプリケーション実行部３４は、その放送マネージドアプリケーション４３を起動させて受信機用出力部２０に提示する。
【００２５】
受信機用制御部３２は、更に、データ放送を提示するための機能（図示しない）を備えている。受信機用制御部３２は、記憶部１３に格納されたＰＭＴに基づいて、データ放送を起動させて受信機用出力部２０に提示する。
【００２６】
受信機用制御部３２は、更に、提示制御部３３を備えている。提示制御部３３は、ＡＩＴ解析部３５、受信切替指示部３６から構成される。
【００２７】
受信切替指示部３６は、受信感度測定部１４から出力される電波状態を表す値が、閾値を超えている場合、放送波４１をフルセグメント放送で受信するようにチューナ部１１を制御する。一方、受信切替指示部３６は、受信感度測定部１４から出力される電波状態を表す値が、閾値以下である場合、放送波４１をワンセグメント放送で受信するようにチューナ部１１を制御する。
【００２８】
上述のＡＩＴは、更に、アプリケーションバウンダリを構成する１つ以上の領域（ＵＲＬ）を含み（非特許文献１の「６．３．２．  アクセス制御」及び「７．１．１．  アプリケーション制御情報の概要」を参照）、その領域毎に、放送リソースへのアクセス権限を表すアプリケーション境界権限設定記述子が設定されている（非特許文献１の「７．６．  アプリケーションバウンダリと放送リソースアクセス制御」を参照）。この領域により、放送マネージドアプリケーション４３は、ページ毎にドメインを遷移することができる。放送リソース（放送信号）はＳＩ情報とＡＶ情報とを含んでいる。アプリケーション境界権限設定記述子は、アプリケーション実行部３４が実行しようとする放送リソースへのアクセスを制御するための情報であり、ＳＩ情報やＡＶ情報へのアクセスを許可しているか否かを表している。
【００２９】
ＡＩＴ解析部３５は、記憶部１３に格納されたＡＩＴを解析する。まず、一般的なデジタル放送受信機の動作と、その問題点とを説明した後に、ＡＩＴ解析部３５の動作を説明する。
【００３０】
図２は、一般的なデジタル放送受信機の動作を表す概念図である。
【００３１】
受信部１０は、放送波４１をフルセグメント放送で受信し、受信機用出力部２０に提示しているものとする。このとき、受信機用出力部２０は、フルセグメント放送で受信された放送コンテンツを表すフルセグメント放送表示画面ＳＧＦを表示部２４に表示している。また、受信機用制御部３２のアプリケーション実行部３４は、放送波４１に含まれるＡＩＴに基づいて、放送マネージドアプリケーション４３を取得し、受信機用出力部２０に提示しているものとする。このとき、受信機用出力部２０は、放送マネージドアプリケーション４３を表すアプリケーション表示画面ＡＰを、フルセグメント放送表示画面ＳＧＦ上に表示している。
【００３２】
いま受信感度が低下し、放送波４１が受信されたときの電波状態を表す値が閾値以下になり、フルセグメント放送表示画面ＳＧＦの表示状態が悪くなったものとする。この場合、受信部１０が放送波４１をフルセグメント放送からワンセグメント放送に切り替えて受信するか否かによって、表示部２４に表示される画面が異なる。即ち、放送コンテンツを、フルセグメント放送で受信された放送コンテンツ（第１放送コンテンツ）から、ワンセグメント放送で受信された放送コンテンツ（第２放送コンテンツ）に切り替えるか否かによって、画面表示が異なる。
【００３３】
ここで、受信部１０が放送波４１をフルセグメント放送からワンセグメント放送に切り替えて受信した場合、受信機用出力部２０は、ワンセグメント放送で受信された放送コンテンツを表すワンセグメント放送表示画面ＳＧ１を表示部２４に表示する。この場合、放送マネージドアプリケーション４３の提示は終了する。即ち、アプリケーション表示画面ＡＰが表示部２４に表示されない。
【００３４】
一方、受信部１０が放送波４１をフルセグメント放送からワンセグメント放送に切り替えない場合、受信感度が低下した状態であるため、フルセグメント放送表示画面ＳＧＦの表示状態が悪いままである。この場合、放送マネージドアプリケーション４３の提示は継続したままである。
【００３５】
図３は、図２の問題点を表す概念図である。
【００３６】
この問題は、例えば、フルセグメント放送とワンセグメント放送とがサイマル放送ではない場合に生じる。例えば、フルセグメント放送表示画面ＳＧＦは、馬の映像を表しているものとする。また、アプリケーション表示画面ＡＰは、フルセグメント放送表示画面ＳＧＦに依存していて、馬に関連する情報を表しているものとする。しかし、ワンセグメント放送表示画面ＳＧ１は、ゴルフの映像を表している場合、アプリケーション表示画面ＡＰが表す馬の映像と関連しない。
【００３７】
そこで、受信部１０が放送波４１をフルセグメント放送からワンセグメント放送に切り替えて受信したときに、ワンセグメント放送表示画面ＳＧ１が表示部２４に表示された場合を考える。この場合、放送マネージドアプリケーション４３の提示が継続したままであるため、アプリケーション表示画面ＡＰ（馬に関連する情報）とワンセグメント放送表示画面ＳＧ１（ゴルフの映像）とが同時に表示されてしまい、放送局の意図に反した表示になってしまう。
【００３８】
図４及び図５は、本発明のデジタル放送受信機５の動作を表す概念図である。
【００３９】
上述と同様に、受信部１０は、放送波４１をフルセグメント放送で受信し、受信機用出力部２０に提示しているものとする。このとき、受信機用出力部２０は、フルセグメント放送で受信された放送コンテンツを表すフルセグメント放送表示画面ＳＧＦを表示部２４に表示している。また、受信機用制御部３２のアプリケーション実行部３４は、放送波４１に含まれるＡＩＴに基づいて、放送マネージドアプリケーション４３を取得し、受信機用出力部２０に提示しているものとする。このとき、受信機用出力部２０は、放送マネージドアプリケーション４３を表すアプリケーション表示画面ＡＰを、フルセグメント放送表示画面ＳＧＦ上に表示している。
【００４０】
いま受信感度が低下し、放送波４１が受信されたときの電波状態を表す値が閾値以下になり、フルセグメント放送表示画面ＳＧＦの表示状態が悪くなったものとする。このとき、受信機用制御部３２の提示制御部３３の受信切替指示部３６は、受信部１０の受信感度測定部１４から出力される電波状態を表す値が、閾値以下であることを表す受信感度低下通知を受信機用制御部３２の提示制御部３３のＡＩＴ解析部３５に出力する。ＡＩＴ解析部３５は、受信切替指示部３６からの受信感度低下通知に応じて、切替通知を受信切替指示部３６に出力する。受信切替指示部３６は、ＡＩＴ解析部３５からの切替通知に応じて、放送波４１をワンセグメント放送で受信するように受信部１０のチューナ部１１を制御する。受信部１０が放送波４１をフルセグメント放送からワンセグメント放送に切り替えて受信した場合、受信機用出力部２０は、ワンセグメント放送で受信された放送コンテンツを表すワンセグメント放送表示画面ＳＧ１を表示部２４に表示する。
【００４１】
ＡＩＴ解析部３５は、放送波４１に含まれるＡＩＴを参照し、ＡＩＴで放送リソースへのアクセスが許可されている否かを解析する。具体的には、ＡＩＴ解析部３５は、ＡＩＴに設定されたアプリケーション境界権限設定記述子が、ＡＶ情報へのアクセスを許可しているか否かを解析する。
【００４２】
図４に示されるように、ＡＩＴ解析部３５は、解析の結果、ＡＩＴでＡＶ情報へのアクセスが許可されている場合、受信感度低下通知に対して切替通知を受信切替指示部３６に出力すると同時に、放送マネージドアプリケーション４３の提示を停止するためのアプリケーション提示停止指示をアプリケーション実行部３４に出力する。この場合、アプリケーション実行部３４は、ＡＩＴ解析部３５からのアプリケーション提示停止指示に応じて放送マネージドアプリケーション４３の提示を終了する。即ち、アプリケーション表示画面ＡＰが表示部２４に表示されない。
【００４３】
このように、ＡＩＴでＡＶ情報へのアクセスが許可されている場合、アプリケーション表示画面ＡＰがフルセグメント放送表示画面ＳＧＦに依存している可能性がある。例えば、フルセグメント放送表示画面ＳＧＦが馬の映像を表しているときに、アプリケーション表示画面ＡＰは、馬に関連する情報を表していて、フルセグメント放送表示画面ＳＧＦに依存している。しかし、ワンセグメント放送表示画面ＳＧ１は、ゴルフの映像を表している。本発明では、アプリケーション表示画面ＡＰ（馬に関連する情報）がフルセグメント放送表示画面ＳＧＦ（馬の映像）に依存している場合、アプリケーション表示画面ＡＰ（馬に関連する情報）の表示を停止して、ワンセグメント放送表示画面ＳＧ１（ゴルフの映像）を表示することにより、放送局の意図に反した表示にはならない。
【００４４】
一方、図５に示されるように、ＡＩＴ解析部３５は、解析の結果、ＡＩＴでＡＶ情報へのアクセスが許可されていない場合、切替通知を受信切替指示部３６に出力するが、アプリケーション提示停止指示をアプリケーション実行部３４に出力しない。この場合、アプリケーション実行部３４は、放送マネージドアプリケーション４３の提示を継続する。即ち、アプリケーション表示画面ＡＰが表示部２４に表示されたままである。
【００４５】
このように、ＡＩＴでＡＶ情報へのアクセスが許可されていない場合、アプリケーション表示画面ＡＰがフルセグメント放送表示画面ＳＧＦに依存していない。例えば、フルセグメント放送表示画面ＳＧＦが馬の映像を表しているときに、アプリケーション表示画面ＡＰは、天気予報に関する情報を表していて、フルセグメント放送表示画面ＳＧＦに依存していない。また、ワンセグメント放送表示画面ＳＧ１は、ゴルフの映像を表している。この場合、本発明では、アプリケーション表示画面ＡＰがフルセグメント放送表示画面ＳＧＦに依存していない場合、アプリケーション表示画面ＡＰ（天気予報に関する情報）の表示を継続したまま、ワンセグメント放送表示画面ＳＧ１（ゴルフの映像）を表示しても、放送局の意図に反した表示にはならない。
【００４６】
［第１実施形態］
図６は、本発明の第１実施形態に係るデジタル放送受信機５の動作を示すフローチャートである。
【００４７】
まず、受信部１０は、放送波４１をフルセグメント放送で受信し、受信機用出力部２０に提示する（ステップＳ１１）。このとき、受信機用制御部３２のアプリケーション実行部３４は、放送波４１に含まれるＡＩＴに基づいて、放送マネージドアプリケーション４３を取得し、受信機用出力部２０に提示する（ステップＳ１２）。放送波４１が受信されたときの電波状態を表す値が閾値を超えている間は（ステップＳ１３−Ｙｅｓ）、フルセグメント放送と放送マネージドアプリケーション４３とが同時に提示されている。
【００４８】
いま受信感度が低下し、放送波４１が受信されたときの電波状態を表す値が閾値以下になったものとする（ステップＳ１３−Ｎｏ）。このとき、受信機用制御部３２の提示制御部３３の受信切替指示部３６は、上述の受信感度低下通知を受信機用制御部３２の提示制御部３３のＡＩＴ解析部３５に出力する。
【００４９】
ここで、ＡＩＴでＡＶ情報へのアクセスが許可されていない場合（ステップＳ１４−Ｎｏ）、放送マネージドアプリケーション４３は、フルセグメント放送に依存していない。この場合、ＡＩＴ解析部３５は、上述のアプリケーション提示停止指示をアプリケーション実行部３４に出力しないで、受信感度低下通知に対して切替通知を受信切替指示部３６に出力する。受信切替指示部３６は、ＡＩＴ解析部３５からの切替通知に応じて、放送波４１をワンセグメント放送で受信するように受信部１０のチューナ部１１を制御する。即ち、デジタル放送受信機５は、放送マネージドアプリケーション４３の提示を継続したまま、放送波４１をワンセグメント放送で受信する（ステップＳ１５）。その後も、デジタル放送受信機５は、放送コンテンツが視聴されている間、放送波４１の受信を行なう。
【００５０】
一方、ＡＩＴでＡＶ情報へのアクセスが許可されている場合（ステップＳ１４−Ｙｅｓ）、放送マネージドアプリケーション４３は、フルセグメント放送に依存している。この場合、ＡＩＴ解析部３５は、受信感度低下通知に対して切替通知を受信切替指示部３６に出力すると同時に、上述のアプリケーション提示停止指示をアプリケーション実行部３４に出力する。受信切替指示部３６は、ＡＩＴ解析部３５からの切替通知に応じて、放送波４１をワンセグメント放送で受信するように受信部１０のチューナ部１１を制御し、アプリケーション実行部３４は、ＡＩＴ解析部３５からのアプリケーション提示停止指示に応じて放送マネージドアプリケーション４３の提示を終了する。即ち、デジタル放送受信機５は、放送マネージドアプリケーション４３の提示を停止して、放送波４１をワンセグメント放送で受信する（ステップＳ１６）。その後も、デジタル放送受信機５は、放送コンテンツが視聴されている間、放送波４１の受信を行なう。
【００５１】
以上の説明により、本発明の第１実施形態に係るデジタル放送受信機５では、デジタル放送受信機５は、放送コンテンツを第１放送コンテンツ（フルセグメント放送で受信された放送コンテンツ）から第２放送コンテンツ（ワンセグメント放送で受信された放送コンテンツ）に切り替えるときに、ＡＩＴで放送リソースへのアクセスが許可されていない場合、放送マネージドアプリケーション４３が第１放送コンテンツに依存していないため、放送マネージドアプリケーション４３の提示を継続する。また、デジタル放送受信機５は、放送コンテンツを第１放送コンテンツから第２放送コンテンツに切り替えるときに、ＡＩＴで放送リソースへのアクセスが許可されている場合、放送マネージドアプリケーション４３が第１放送コンテンツに依存しているため、放送マネージドアプリケーション４３の提示を停止する。このように、本発明の第１実施形態に係るデジタル放送受信機５によれば、放送局の意図に反して表示する問題を軽減することができる。
【００５２】
［第２実施形態］
図７及び図８は、本発明の第２実施形態に係るデジタル放送受信機５の動作を示すフローチャートである。第２実施形態では第１実施形態からの変更点のみ説明する。
【００５３】
いま、前述のステップＳ１５が実行される。即ち、デジタル放送受信機５は、放送マネージドアプリケーション４３の提示を継続したまま、放送波４１をワンセグメント放送で受信している。
【００５４】
受信機用制御部３２の提示制御部３３のＡＩＴ解析部３５は、記憶部１３に格納されているＡＩＴを参照して、ＡＩＴが更新されてＡＶ情報へのアクセスが許可されているか否かを解析する（ステップＳ２１）。また、ＡＩＴ解析部３５は、記憶部１３に格納されているＡＩＴを参照して、ＡＩＴにおいてドメインが異なるページに遷移してＡＶ情報へのアクセスが許可されているか否かを解析する（ステップＳ２２）。
【００５５】
ここで、ＡＩＴに変更がない場合（ステップＳ２１−Ｎｏ、Ｓ２２−Ｎｏ）は、第１実施形態と同じである。即ち、デジタル放送受信機５は、放送コンテンツが視聴されている間、放送波４１の受信を行なう。
【００５６】
例えば、ＡＩＴが更新されてＡＶ情報へのアクセスが許可されている場合（ステップＳ２１−Ｙｅｓ）、放送マネージドアプリケーション４３は、フルセグメント放送に依存している。この場合、ＡＩＴ解析部３５は、前述のアプリケーション提示停止指示をアプリケーション実行部３４に出力する。アプリケーション実行部３４は、ＡＩＴ解析部３５からのアプリケーション提示停止指示に応じて放送マネージドアプリケーション４３の提示を終了する。即ち、デジタル放送受信機５は、放送マネージドアプリケーション４３の提示を停止する（ステップＳ２３）。その後も、デジタル放送受信機５は、放送コンテンツが視聴されている間、放送波４１の受信を行なう。
【００５７】
一方、ＡＩＴにおいてドメインが異なるページに遷移してＡＶ情報へのアクセスが許可されている場合でも（ステップＳ２１−Ｎｏ、Ｓ２２−Ｙｅｓ）、放送マネージドアプリケーション４３は、フルセグメント放送に依存している。この場合、ＡＩＴ解析部３５は、前述のアプリケーション提示停止指示をアプリケーション実行部３４に出力する。アプリケーション実行部３４は、ＡＩＴ解析部３５からのアプリケーション提示停止指示に応じて放送マネージドアプリケーション４３の提示を終了する。即ち、デジタル放送受信機５は、放送マネージドアプリケーション４３の提示を停止する（ステップＳ２３）。
【００５８】
前述の第１実施形態では、デジタル放送受信機５は、放送コンテンツを第１放送コンテンツ（フルセグメント放送で受信された放送コンテンツ）から第２放送コンテンツ（ワンセグメント放送で受信された放送コンテンツ）に切り替えるときに、ＡＩＴで放送リソースへのアクセスが許可されていない場合、放送マネージドアプリケーション４３が第１放送コンテンツに依存していないため、放送マネージドアプリケーション４３の提示を継続している。そこで、本発明の第２実施形態に係るデジタル放送受信機５では、放送コンテンツを第２放送コンテンツに切り替えた後に、ＡＩＴが更新されて放送リソースへのアクセスが許可された場合や、ＡＩＴにおいてドメインが異なるページに遷移して前記放送リソースへのアクセスが許可された場合、放送マネージドアプリケーション４３が第１放送コンテンツに依存しているため、放送マネージドアプリケーション４３の提示を停止している。このように、本発明の第２実施形態に係るデジタル放送受信機５によれば、放送局の意図に反して表示する問題を軽減することができる。
【００５９】
［第３実施形態］
図９〜図１１は、本発明の第３実施形態に係るデジタル放送受信機５の動作を示すフローチャートである。第３実施形態では第１、２実施形態からの変更点のみ説明する。
【００６０】
前述のステップＳ２１、Ｓ２２は、ワンセグメント放送で受信された放送コンテンツの視聴が継続している間（ステップＳ２４−Ｙｅｓ）、実行される。ここで、ＡＩＴに変更がない（ステップＳ２１−Ｎｏ、Ｓ２２−Ｎｏ）。この場合、ＡＩＴが更新されてＡＶ情報へのアクセスが許可されていない（ステップＳ２１−Ｎｏ）。又は、ＡＩＴにおいてドメインが異なるページに遷移してＡＶ情報へのアクセスが許可されていない（ステップＳ２２−Ｎｏ）。このとき、放送コンテンツの視聴が継続されない場合（ステップＳ２４−Ｎｏ）は処理を終了する。
【００６１】
一方、ＡＩＴが更新されてＡＶ情報へのアクセスが許可された場合（ステップＳ２４−Ｙｅｓ、Ｓ２１−Ｙｅｓ）や、ＡＩＴにおいてドメインが異なるページに遷移してＡＶ情報へのアクセスが許可された場合（ステップＳ２４−Ｙｅｓ、Ｓ２１−Ｎｏ、Ｓ２２−Ｙｅｓ）、前述のステップＳ２３が実行される。即ち、デジタル放送受信機５は、放送マネージドアプリケーション４３の提示を停止する。
【００６２】
前述のステップＳ１６、又は、前述のステップＳ２３が実行された後に、受信機用制御部３２の提示制御部３３のＡＩＴ解析部３５は、記憶部１３に格納されているＡＩＴを参照して、ＡＩＴが更新されてＡＶ情報へのアクセスが許可されているか否かを解析する（ステップＳ３１）。また、ＡＩＴ解析部３５は、記憶部１３に格納されているＡＩＴを参照して、ＡＩＴにおいてドメインが異なるページに遷移してＡＶ情報へのアクセスが許可されているか否かを解析する（ステップＳ３２）。
【００６３】
ここで、ＡＩＴが更新されてＡＶ情報へのアクセスが許可されている（ステップＳ３１−Ｙｅｓ）。又は、ＡＩＴにおいてドメインが異なるページに遷移してＡＶ情報へのアクセスが許可されている（ステップＳ３１−Ｎｏ、Ｓ３２−Ｙｅｓ）。このとき、放送コンテンツの視聴が継続されない場合（ステップＳ３４−Ｎｏ）は処理を終了する。放送コンテンツの視聴が継続されている場合（ステップＳ３４−Ｙｅｓ）は上述のステップＳ３１、Ｓ３２が実行される。
【００６４】
一方、ＡＩＴが更新されてＡＶ情報へのアクセスが許可されない場合（ステップＳ３１−Ｎｏ）、かつ、ＡＩＴにおいてドメインが異なるページに遷移してＡＶ情報へのアクセスが許可されない場合（ステップＳ３２−Ｎｏ）、放送マネージドアプリケーション４３は、フルセグメント放送に依存していない。この場合、ＡＩＴ解析部３５は、アプリケーションの提示を実行するためのアプリケーション提示実行指示をアプリケーション実行部３４に出力する。アプリケーション実行部３４は、ＡＩＴ解析部３５からのアプリケーション提示実行指示に応じて放送マネージドアプリケーション４３の提示を実行する。即ち、デジタル放送受信機５は、放送マネージドアプリケーション４３の提示を行なう（ステップＳ３３）。その後、前述のステップＳ２１が実行される。
【００６５】
前述の第１実施形態では、デジタル放送受信機５は、放送コンテンツを第１放送コンテンツ（フルセグメント放送で受信された放送コンテンツ）から第２放送コンテンツ（ワンセグメント放送で受信された放送コンテンツ）に切り替えるときに、ＡＩＴで放送リソースへのアクセスが許可されている場合、放送マネージドアプリケーション４３が第１放送コンテンツに依存しているため、放送マネージドアプリケーション４３の提示を停止している。又は、前述の第２実施形態では、放送コンテンツを第２放送コンテンツに切り替えた後に、ＡＩＴが更新されて放送リソースへのアクセスが許可された場合や、ＡＩＴにおいてドメインが異なるページに遷移して前記放送リソースへのアクセスが許可された場合、放送マネージドアプリケーション４３が第１放送コンテンツに依存しているため、放送マネージドアプリケーション４３の提示を停止している。そこで、本発明の第３実施形態に係るデジタル放送受信機５では、デジタル放送受信機５は、放送マネージドアプリケーション４３の提示を停止した後に、ＡＩＴが更新されて放送リソースへのアクセスが許可されていない場合や、ＡＩＴにおいてドメインが異なるページに遷移して前記放送リソースへのアクセスが許可されていない場合、放送マネージドアプリケーション４３が第１放送コンテンツに依存していないため、放送マネージドアプリケーション４３の提示を行なう。このように、本発明の第３実施形態に係るデジタル放送受信機５によれば、放送局の意図に反して表示する問題を軽減することができる。
【００６６】
以上、本発明について詳述してきたが、具体的な構成は実施形態に限られるものではなく、この発明の要旨を逸脱しない範囲の設計等も特許請求の範囲に含まれる。
【符号の説明】
【００６７】
１…放送局サーバ、３…通信サーバ、５…デジタル放送受信機、１０…受信部、１１…チューナ部、１２…放送波受信部、１３…記憶部、１４…受信感度測定部、２０…受信機用出力部、２１…音声制御部、２２…表示制御部、２３…スピーカ、２４…表示部、３１…通信部、３２…受信機用制御部、３３…提示制御部、３４…アプリケーション実行部、３５…ＡＩＴ解析部、３６…受信切替指示部、４１…放送波、４３…放送マネージドアプリケーション、ＡＰ…アプリケーション表示画面、ＳＧ１…ワンセグメント放送表示画面、ＳＧＦ…フルセグメント放送表示画面
【図１】
2015109501.tif 000003
【図２】
2015109501.tif 000004
【図３】
2015109501.tif 000005
【図４】
2015109501.tif 000006
【図５】
2015109501.tif 000007
【図６】
2015109501.tif 000008
【図７】
2015109501.tif 000009
【図８】
2015109501.tif 000010
【図９】
2015109501.tif 000011
【図１０】
2015109501.tif 000012
【図１１】
2015109501.tif 000013